(57)【要約】【課題】吐水栓から垂れた水又は／及びカップやコップから溢れた水が直接ポットに降り注ぐこととなり、ポットが濡れて汚れる場合のみならず、サーバーの周辺も飛び散った水で汚すことになるばかりか、ポットが熱せられている場合には、ポットの外周面に落ちた水滴が瞬時に蒸発して周辺に飛び散ることにもなり、サーバーの近くに人がいる場合でも火傷の原因をなくすことを課題とするものである。【解決手段】  本発明におけるウォーターサーバーは、上部（１ｂ）に交換自在な給水タンク（２）を載置可能で、且つ内部に冷却手段を有した冷水タンク（９）及び加熱手段を有した温水タンク（１０）を備えるともに、外部周面の所定箇所に温水コック（３）及び冷水コック（４）の双方を有してなり、しかも該コック（３）、（４）の下方側には該コック（３）、（４）から垂れた温水若しくは冷水又は／及びコップ等の容器（８）から溢れた水等を所定量溜めることが可能な水溜部又は水溜容器（５）の少なくも何れか一方を具備すると共に、該水溜部又は水溜容器（５）の下方にコップ等の容器（８）を載置可能なトレー（７）を出退自在に設けた構成にしてなることを特徴とする。【特許請求の範囲】
【請求項１】
上部（１ｂ）に交換自在な給水タンク（２）を載置可能で、且つ内部に冷却手段を有した冷水タンク（９）及び加熱手段を有した温水タンク（１０）を備えるともに、外部周面の所定箇所に温水コック（３）及び冷水コック（４）の双方を有してなり、しかも該コック（３）、（４）の下方側には該コック（３）、（４）から垂れた温水若しくは冷水又は／及びコップ等の容器（８）から溢れた水等を所定量溜めることが可能な水溜部又は水溜容器（５）の少なくも何れか一方を具備すると共に、該水溜部又は水溜容器（５）の下方にコップ等の容器（８）を載置可能なトレー（７）を出退自在に設けた構成にしてなることを特徴とするウォーターサーバー。
【請求項２】
前記ウォーターサーバー（１）が、前記冷水タンク（９）等の機器類を備えたサーバー本体（１ａ）と該サーバー本体（１ａ）を載置固定する架台（１２）とに着脱可能に２分割され、しかも前記トレー（７）が架台（１２）に設けられてなることを特徴とする請求項１記載のウォーターサーバー。
【請求項３】
前記ウォーターサーバー（１）又は架台（１２）が、サーバー設置台（１３）に立設された支柱（１３ａ）上部又は下方に複数の脚部を有して設けられた構成にしてなることを特徴とする請求項１又は２記載のウォーターサーバー。
【請求項４】
前記架台（１２）が、サーバー設置台（１３）に立設された支柱（１３ａ）上部の載置面部（１３ｂ）又は下方に複数の脚部を有した載置面部に設けられた構成にしてなることを特徴とする請求項３記載のウォーターサーバー。
【請求項５】
前記ウォーターサーバー（１）又は架台（１２）を設置すべく支柱（１３ａ）を有したサーバー設置台（１３）には、ウォーターサーバー（１）の配置位置の高さを任意の位置で固定できるロック機構を有した昇降装置（１４）が設けられてなり、しかも該昇降装置（１４）が、空となった給水タンク（２）の交換時において、ロック機構の解除時にはウォーターサーバー（１）を下方向に押圧することでウォーターサーバー（１）の配置位置の高さを任意の位置まで降下させることが可能な上向き反力を有すると共に、満水の給水タンク（２）を載置してウォーターサーバー（１）を任意の高さ位置まで上方向で引っ張り上げる際には、前記上向き反力がアシスト機構として働く構成にしてなることを特徴とする請求項１乃至４の何れかに記載のウォーターサーバー。
【発明の詳細な説明】
【技術分野】
【０００１】  本発明は、各種病院、各種学校、工場、企業オフィス等において、飲料用の冷水や珈琲、紅茶等に使用する温水（熱湯等）をいつでも簡単且つ迅速に利用することが可能なように所定の場所に設置されるウォーターサーバーに関する。
【背景技術】
【０００２】  従来、この種ウォーターサーバーに関しては、極めて多数の出願がなされてはいるが、例えば、コップ載置台（ポット載置台も含む）をサーバー側に出退自在に設けた出願としては、特開２００５−１３２４２２号公報所載のものが存在する。【０００３】  上記公報所載の技術は、ウォーターサーバーの冷水用の吐水栓の下方にポット載置スペースを有するポット載置台を昇降自在に設け、更に該ポット載置台と吐水栓の間にコップ載置台を本体ケース側へと使用位置から折り畳み可能に設けると共に、昇降自在な前記ポット載置台も本体ケース側へと折り畳み可能又はスライド式に収納可能とするものである。【０００４】  即ち、上記技術は、ポットの背丈或いは利用者の背丈等に応じて、ポット操作がし易い高さにポット設置台を設定することが出来るだけでなく、ポット設置台にポットを載置した状態で温水（熱湯等）を作り出しつつ、該ポット設置台の上方にあるコップ載置台を利用しての冷水用の吐水栓からコップ又はカップにいつでも冷水を得ることが出来るというものである。
【特許文献】特開２００５−１３２４２２号公報
【発明の概要】
【発明が解決しようとする課題】
【０００５】  しかしながら、上記公報所載のものは、昇降自在なポット設置台を本体ケース側へと折り畳み可能又はスライド式に収納可能とするものではあるが、あくまでポットを使用しない場合にポット設置台を本体ケース側へと収納するものであり、仮にポット設置台にポットを載置しつつ該ポット設置台の上方にあるコップ載置台を利用して冷水用の吐水栓からコップ又はカップに冷水を注いだ場合において、該吐水栓から垂れた水又は／及びカップやコップから溢れた水が直接ポットに降り注ぐこととなり、ポットが濡れて汚れる場合のみならず、サーバーの周辺も飛び散った水で汚すことになるばかりか、ポットが熱せられている場合には、ポットの外周面に落ちた水滴が瞬時に蒸発して周辺に飛び散ることにもなり、サーバーの近くに人がいる場合には火傷の原因にもつながるという深刻な問題が生じていた。
【課題を解決するための手段】
【０００６】  即ち、本発明は，上記問題を解決すべく以下の手段を講じたものであり、請求項１記載の発明にかかるウォーターサーバーは、上部（１ｂ）に交換自在な給水タンク（２）を載置可能で、且つ内部に冷却手段を有した冷水タンク（９）及び加熱手段を有した温水タンク（１０）を備えるともに、外部周面の所定箇所に温水コック（３）及び冷水コック（４）の双方を有してなり、しかも該コック（３）、（４）の下方側には該コック（３）、（４）から垂れた温水若しくは冷水又は／及びコップ等の容器（８）から溢れた水等を所定量溜めることが可能な水溜部又は水溜容器（５）の少なくも何れか一方を具備すると共に、該水溜部又は水溜容器（５）の下方にコップ等の容器（８）を載置可能なトレー（７）を出退自在に設けたことにある。【０００７】  更に、請求項２記載のウォーターサーバーは、冷水タンク（９）等の機器類を備えたサーバー本体（１ａ）と該サーバー本体（１ａ）を載置固定する架台（１２）とに着脱可能に２分割され、しかも前記トレー（７）が架台（１２）に設けられたことにある。【０００８】  更に、請求項３記載のウォーターサーバーは、ウォーターサーバー（１１）又は架台（１２）が、サーバー設置台（１３）に立設された支柱（１３ａ）上部又は下方に複数の脚部を有して設けられたことにある。【０００９】  又、請求項４記載のウォーターサーバーは、架台（１２）が、サーバー設置台（１３）に立設された支柱（１３ａ）上部の載置面部（１３ｂ）又は下方に複数の脚部を有した載置面部に設けられたことにある。【００１０】  更に、請求項５記載のウォーターサーバーは、ウォーターサーバー（１）又は架台（１２）を設置すべく支柱（１３ａ）を有したサーバー設置台（１３）には、ウォーターサーバー（１）の配置位置の高さを任意の位置で固定できるロック機構を有した昇降装置（１４）が設けられてなり、しかも該昇降装置（１４）が、空となった給水タンク（２）の交換時において、ロック機構の解除時にはウォーターサーバー（１）を下方向に押圧することでウォーターサーバー（１）の配置位置の高さを任意の位置まで降下させることが可能な上向き反力を有すると共に、満水の給水タンク（２）を載置してウォーターサーバー（１）を任意の高さ位置まで上方向で引っ張り上げる際には、前記上向き反力がアシスト機構として働くことにある。
【発明の効果】
【００１１】  本発明におけるウォーターサーバーは、上部（１ｂ）に交換自在な給水タンク（２）を載置可能で、且つ内部に冷却手段を有した冷水タンク（９）及び加熱手段を有した温水タンク（１０）を備えるともに、外部周面の所定箇所に温水コック（３）及び冷水コック（４）の双方を有してなり、しかも該コック（３）、（４）の下方側には該コック（３）、（４）から垂れた温水若しくは冷水又は／及びコップ等の容器（８）から溢れた水等を所定量溜めることが可能な水溜部又は水溜容器（５）の少なくも何れか一方を具備すると共に、該水溜部又は水溜容器（５）の下方にコップ等の容器（８）を載置可能なトレー（７）を出退自在に設けたことから、ポットに限らずコップ等の容器（８）の大きさや容器（８）の数量に応じてトレー（７）をサーバー側から所定寸法で出現させて使用した場合であってもコック（３）、（４）から垂れた温水若しくは冷水又は／及びコップ等の容器（８）から溢れた水等をトレー（７）の上方に位置する水溜部又は水溜容器（５）を介して溜めることが可能なことから、トレー（７）に載置したコップ等の容器（８）が濡れて汚れる場合のみならず、サーバーの周辺も飛び散った水で汚すことも確実に阻止することが出来るばかりか、仮に熱せられたポットがトレー（７）に載置されている場合でも、ポットの外周面に水滴等が落ちることも確実に防止することが出来、よってサーバーの近くに人がいる場合でも火傷等の原因を確実になくすことが出来るという格別な効果を有する。【００１２】  更に、本発明におけるウォーターサーバーは、冷水タンク（９）等の機器類を備えたサーバー本体（１ａ）と該サーバー本体（１ａ）を載置固定する架台（１２）とに着脱可能に２分割され、しかもトレー（７）を架台（１２）に設けたことから、実際に使用しているサーバー本体（１ａ）に何ら改造等を加える必要なく出退自在をトレー（７）を有した架台（１２）を製造するだけで各種のサーバーに利用することが出来るという効果を奏する。【００１３】  更に、本発明におけるウォーターサーバーは、ウォーターサーバー（１）又は架台（１２）が、設置台（１３）に立設された支柱（１３ａ）上部又は下方に複数の脚部を有して設けられたことから、実際に使用される場所等の雰囲気に応じてウォーターサーバーの配置位置やデザインを適宜変更することが出来るという効果を奏する。【００１４】  又、本発明におけるウォーターサーバーは、架台（１２）が、設置台（１３）に立設された支柱（１３ａ）上部の載置面部（１３ｂ）又は下方に複数の脚部を有した載置面部に設けられたことから、出退自在なトレー（７）を有した架台（１２）のみを製造して各種のサーバーに適合させるべく新しい標準部品として市場に普及させることが出来るという格別な効果を奏する。【００１５】  更に、本発明におけるウォーターサーバーは、ウォーターサーバー（１）又は架台（１２）を設置すべく支柱（１３ａ）を有した設置台（１３）には、ウォーターサーバー（１）の配置位置の高さを任意の位置で固定できるロック機構を有した昇降装置（１４）が設けられてなり、しかも該昇降装置（１４）が、空となった給水タンク（２）の交換時において、ロック機構の解除時に��ウォーターサーバー（１）を下方向に押圧することでウォーターサーバー（１）の配置位置の高さを任意の位置まで降下させることが可能な上向き反力を有すると共に、満水の給水タンク（２）を載置してウォーターサーバー（１）を任意の高さ位置まで上方向で引っ張り上げる際には、前記上向き反力がアシスト機構として働くことから、特に力のない女性であってもアシスト機構を利用して簡単且つ確実に重量のある満水の給水タンク（２）を自らの背丈にあった任意の位置でウォーターサーバー（１）の上部に載せることが可能になるという作業上の大きな効果を奏する。
【図面の簡単な説明】
【００１６】
【図１】本発明おけるウォーターサーバーの一実施形態を示し、同図（イ）は正面図、同図（ロ）は要部説明側面図。
【図２】本発明おけるウォーターサーバーの他の実施形態を示し、同図（イ）は要部説明側面図、同図（ロ）及び（ハ）は一部説明側面図。
【発明を実施するための形態】
【００１７】  以下、本発明のウォーターサーバーの一実施形態を図面に従って説明する。
【００１８】  先ず、図１（イ）、（ロ）において、１はウォーターサーバーを示し、上部（１ｂ）に交換自在な給水タンク（２）を載置可能で、且つ内部にコンプレッサー等を用いた冷却手段（図示せず）を有した冷水タンク（９）及び温水用ヒーター（加熱手段）１０ａを有した温水タンク（１０）を備えるともに、外部周面の所定箇所に温水コック（３）及び冷水コック（４）の双方を有してなり、しかも該コック（３）、（４）が設けられたウォーターサーバー１の下部（１ｃ）には該コック（３）、（４）から垂れた温水若しくは冷水又は／及びコップ等の容器（８）から溢れた水等を所定量溜めることが可能な着脱自在な水溜容器（５）を具備すると共に、該水溜容器（５）の下方にはコップ等の容器（８）を載置可能なトレー（７）をスライドレール等を用いてウォーターサーバー１に出退自在（矢印Ａ）に設けたトレー収納部（６）が設けられている。
【００１９】  上記温水コック（３）及び冷水コック（４）において、３ａ、４ａは吐水用の押圧板（容器８等での押圧）を示し、３ｂ、４ｂは吐水口及び３ｃ、４ｃはロックボタン（一般的にはチャイルドロックと呼ばれる。）を示し、１ｄはウォーターサーバー１の底部の四隅に設けられた足部である。
【００２０】  尚、上記冷水コック（４）には、ロックボタン４ｃが設けられているが、かかるロックボタン４ｃは通常は温水コック（３）のみに設けられているものであり、その理由としては、本発明におけるウォーターサーバー１の冷水タンク（９）内には、殺菌用ヒーター９ａが設けられており、通常殺菌の為に温水タンク（１０）内の温水（熱湯）を冷水タンク（９）内に充填して殺菌を行うという一般的な殺菌の手法とは異なるものである。
【００２１】  よって、冷水タンク（９）内の殺菌用ヒーター９ａを介して冷水タンク（９）内及び該冷水タンク（９）から冷水コック（４）の吐水口４ｂまで続くステンレス製の導水パイプ（１１）内も熱による殺菌を施すことが出来ることから安全の為に冷水コック（４）であっても所定時間は動作を停止させて危険を回避する上で冷水コック（４）にロックボタン４ｃが設けられているのである。
【００２２】  本発明の一実施形態におけるウォーターサーバー１は上記構成からなるために、ポットに限らずコップ等の容器（８）の大きさや容器（８）の数量に応じてトレー（７）をサーバー側から所定寸法で出現させて使用した場合であってもコック（３）、（４）から垂れた温水若しくは冷水又は／及びコップ等の容器（８）から溢れた水等をトレー（７）の上方に位置する水溜容器（５）を介して溜めることが可能なことから、トレー（７）に載置したコップ等の容器（８）が濡れて汚れる場合のみならず、サーバーの周辺も飛び散った水で汚すことも確実に阻止することが出来るばかりか、仮に熱せられたポットがトレー（７）に載置されている場合でも、ポットの外周面に水滴等が落ちることも確実に防止することが出来、よってサーバーの近くに人がいる場合でも火傷等の原因を確実になくすことが出来るという格別な利点を有する。
【００２３】  尚、上記一実施形態において、ウォーターサーバー１の下部（１ｃ）には該コック（３）、（４）から垂れた温水若しくは冷水又は／及びコップ等の容器（８）から溢れた水等を所定量溜めることが可能な着脱自在な水溜容器（５）が設けられているが、必ずしも着脱自在な水溜容器（５）である必要はなく、水等を所定量溜めることが可能な水溜部が形成されていてもよく、この場合であってもトレー（７）に載置したコップ等の容器（８）が濡れて汚れる場合のみならず、サーバーの周辺も飛び散った水で汚すことも確実に阻止することが出来るばかりか、仮に熱せられたポットがトレー（７）に載置されている場合でも、ポットの外周面に水滴等が落ちることも確実に防止することが出来、よってサーバーの近くに人がいる場合でも火傷等の原因を確実になくすことが出来るという格別な利点を有する。
【００２４】  次に、本発明のウォーターサーバーの他の実施形態を図面に従って説明する。
【００２５】  図２（イ）おいて、例えば、ウォーターサーバー１が、冷水タンク（９）等の機器類を備えたサーバー本体（１ａ）と該サーバー本体（１ａ）を載置固定する架台（１２）とに着脱可能に２分割され、しかも出退自在なトレー（７）を架台（１２）に設けてもよく、この場合には、実際に使用しているサーバー本体（１ａ）に何ら改造等を加える必要なく出退自在をトレー（７）を有した架台（１２）を製造するだけで各種のサーバーに利用することが出来るという利点を奏する。
【００２６】  上記の場合において、架台（１２）の上面四隅に、サーバー本体（１ａ）の底部の四隅に設けられた足部１ｄが嵌入可能な４箇所の凹部１２ａが設けられていてもよく、この場合には、簡単且つ確実にサーバー本体（１ａ）を架台（１２）の上面に位置決め固定することが出来るという作業上の利点があるだけでなく、広く普及している通常のウォーターサーバーを対象として用いることが出来るという利点を奏する。
【００２７】  更に、ウォーターサーバー（１）又は架台（１２）が、設置台（１３）に立設された支柱（１３ａ）上部又は下方に複数の脚部を有して設けられた場合には、実際に使用される場所等の雰囲気に応じてウォーターサーバーの配置位置やデザインを適宜変更することが出来るという利点を奏する。
【００２８】  更に、同図（ロ）おいて、架台（１２）が、設置台（１３）に立設された支柱（１３ａ）上部の載置面部（１３ｂ）又は下方に複数の脚部を有した載置面部に設けられた場合には、出退自在なトレー（７）を有した架台（１２）のみを製造して各種のサーバーに適合させるべく新しい標準部品として市場に普及させることが出来るという格別な効果を奏する。
【００２９】  更に詳しくは、載置面部（１３ｂ）の上面四隅に、架台（１２）の下面四隅に設けられた足部１２ｂが嵌入（矢印Ｂ）する凹部１３ｃが設けられ、かかる架台（１２）の上面四隅に前記同様サーバー本体（１ａ）の底部の四隅に設けられた足部１ｄが嵌入可能（矢印Ｃ）な４箇所の凹部１２ａが設けられていてもよい。
【００３０】  更に、同図（ハ）おいて、ウォーターサーバー（１）又は架台（１２）を設置すべく支柱（１３ａ）を有した設置台（１３）には、ウォーターサーバー（１）の配置位置の高さを任意の位置（矢印Ｅ）で固定できるロック機構、例えばペダル１４ａを踏み下げる（矢印Ｄ）ことでロックが解除される昇降装置（１４）が設けられていてもよく、この場合には、昇降装置（１４）を用いることで、空となった給水タンク（２）の交換時において、ロック機構の解除時にはウォーターサーバー（１）を下方向に押圧することでウォーターサーバー（１）の配置位置の高さを任意の位置まで降下させることが可能な上向き反力を有すると共に、満水の給水タンク（２）を載置してウォーターサーバー（１）を任意の高さ位置まで上方向で引っ張り上げる際には、前記上向き反力がアシスト機構として働くことから、特に力のない女性であってもアシスト機構を利用して簡単且つ確実に重量のある満水の給水タンク（２）を自らの背丈にあった任意の位置でウォーターサーバー（１）の上部に載せることが可能になるという作業上の大きな利点を奏する。
【００３１】  本発明の一実施形態において、ウォーターサーバーの具体的な種類、等も決して限定されるものではないが、要は上部（１ｂ）に交換自在な給水タンク（２）を載置可能で、且つ内部に冷却手段を有した冷水タンク（９）及び加熱手段を有した温水タンク（１０）を備えるともに、外部周面の所定箇所に温水コック（３）及び冷水コック（４）の双方を有してなり、しかも該コック（３）、（４）の下方側には該コック（３）、（４）から垂れた温水若しくは冷水又は／及びコップ等の容器（８）から溢れた水等を所定量溜めることが可能な水溜部又は水溜容器（５）の少なくも何れか一方を具備すると共に、該水溜部又は水溜容器（５）の下方にコップ等の容器（８）を載置可能なトレー（７）を出退自在に設けていれば、ウォーターサーバーの具体的な構造、機構、構成、形状等の各種諸条件も本発明の意図する範囲内で任意に設計変更自在であり、一切限定されるものでないのは言うまでもない。
【産業上の利用可能性】
【００３２】  本発明におけるウォーターサーバーは、各種病院、各種学校、工場、企業オフィス等において、飲料用の冷水や珈琲、紅茶等に使用する温水（熱湯等）をいつでも簡単且つ迅速に利用することが可能なように所定の場所に設置される等極めて広範囲に適用可能である。
【符合の説明】
【００５９】      １      ウォターサーバー
１ａ    サーバー本体
２      給水タンク
３      温水コック（温水栓）
４      冷水コック（冷水栓）
５      水溜容器
６      トレー収納部
７      トレー
８      容器
９      冷水タンク
９ａ    殺菌用ヒーター
１０    温水タンク
１０ａ  温水用ヒーター
１１    導水パイプ
１２    架台
１３    設置台
１４    昇降装置
【図１】
2019069815.tif 000002
【図２】
2019069815.tif 000003